(57)【要約】 【課題】いままでよりも大きなリジッド基板がフローティングの状態で撮影装置の内部に組み込まれたとしてもそのリジッド基板上の固体撮像素子の半田付け部に加えられる応力が軽減される組込構造を有する撮影装置を提供する。  【解決手段】リジッド基板１０５をやや大きくして固体撮像素子のほか、駆動回路やフロントエンドなどの回路部品を搭載することができる様にする。鏡胴の後方側にリジッド基板１０５上の固体撮像素子１０４が入り込み、内壁面へのその固体撮像素子１０４の当接を受けてその固体撮像素子１０４を位置決めする収容部１０２を設ける。その収容部１０２の、リジッド基板側壁面とリジッド基板１０５とに挟まれたところにスペーサ１０３を挿入してリジッド基板１０５の端部の振れ（矢印で示してある）の影響が半田付け部Ｐに現われない様にする。【選択図】  図２
2007325149.tif 000002
【特許請求の範囲】
【請求項１】
被写体像が結像され被写体像を表わす画像信号を生成する固体撮像素子と、
前記固体撮像素子を搭載したリジッド基板と、
前記固体撮像素子が入り込み、内壁面への該固体撮像素子の当接を受けて該固体撮像素子を位置決めする収容部と、
前記収容部の、前記リジッド基板側壁面と該リジッド基板とに挟まれたスペーサとを備えたことを特徴とする撮影装置。
【請求項２】
被写体像が結像され被写体像を表わす画像信号を生成する固体撮像素子と、
前記固体撮像素子を搭載したリジッド基板と、
前記固体撮像素子が入り込み、内壁面への該固体撮像素子の当接を受けて該固体撮像素子を位置決めする収容部と、
前記収容部が、前記リジッド基板側壁面から該リジッド基板に向かって突出したリブを有することを特徴とする撮影装置。
【発明の詳細な説明】
【技術分野】
【０００１】
本発明は、固体撮像素子を搭載したリジッド基板を備えた撮影装置に関する。
【背景技術】
【０００２】
最近の撮影装置には、被写体を表わす画像データを生成するための固体撮像素子が配備されているものが多い。この固体撮像素子が撮影装置内部に組み込まれるときにはその固体撮像素子と撮影光学系の光軸があう様に例えば特許文献１等の技術を用いてリジッド基板に搭載された固体撮像素子が撮影装置内部に組み込まれる。また、リジッド基板ではなくフレキシブル基板上に固体撮像素子が搭載され撮影装置の内部に組み込まれるものもある（例えば特許文献２参照）。
【０００３】
ところで、固体撮像素子を搭載する基板としてリジッド基板を用いたときには、リジッド基板上の固体撮像素子の位置決めを行なうことができる様にするためにフローティング状態のまま固体撮像素子が搭載されたリジッド基板が撮影装置内部に組み込まれる。このときにはリジッド基板上に搭載されている固体撮像素子の表面とそのリジッド基板の背面が両側から挟み込まれるとともに固体撮像素子が所定の位置に位置決めされてリジッド基板がフローティング状態で撮影装置の内部に組み込まれるので、リジッド基板の寸法があまり大きくなると撮影装置が振られたときにリジッド基板の端部が振れてしまってリジッド基板上の固体撮像素子の半田付け部に応力が加えられてしまう恐れがある。このためリジッド基板の端部があまり振れない様に、リジッド基板の面積が固体撮像素子の面積と同程度になるぐらいまで縮小され撮影装置の内部に組み込まれる。
【０００４】
しかしこの組込構造が採用され固体撮像素子のみがリジッド基板に搭載されて固体撮像素子が撮影装置内部に組み込まれると、その固体撮像素子を駆動するための駆動回路等の小さな回路部品を別の基板に搭載しそのリジッド基板付近に設ければならなくなる。もしも固体撮像素子を搭載したリジッド基板を少し大きくしてそのリジッド基板上に上記回路部品も高密度に搭載することができれば、部品点数の低減を図ることができ、小型化を図ることができる。
【特許文献１】特開２０００−６９３３６号公報
【特許文献２】特開２００４−１１９８０８号公報
【発明の開示】
【発明が解決しようとする課題】
【０００５】
本発明は、上記事情に鑑み、いままでよりも大きなリジッド基板がフローティングの状態で撮影装置の内部に組み込まれたとしてもそのリジッド基板上の固体撮像素子の半田付け部に加えられる応力が軽減される組込構造を有する撮影装置を提供することを目的とする。
【課題を解決するための手段】
【０００６】
上記目的を達成する本発明の第１の撮影装置は、被写体像が結像され被写体像を表わす画像信号を生成する固体撮像素子と、
上記固体撮像素子を搭載したリジッド基板と、
上記固体撮像素子が入り込み、内壁面へのその固体撮像素子の当接を受けてその固体撮像素子を位置決めする収容部と、
上記収容部の、上記リジッド基板側壁面とそのリジッド基板とに挟まれたスペーサとを備えたことを特徴とする。
【０００７】
上記本発明の第１の撮影装置によれば、上記収容部によってリジッド基板に搭載された固体撮像素子が位置決めされてこの第１の撮影装置の内部に組み込まれる。
【０００８】
例えば、鏡胴の後方端部に上記収容部を設けさらに撮影装置内部に上記リジッド基板を収容部側へ押し当てる押当部を設ければ、上記収容部とその押当部との間に上記固体撮像素子と上記リジッド基板との双方が挟みこまれて上記固体撮像素子が搭載されたリジッド基板が撮影装置の内部にフローティングの状態で所定の位置に位置決めされて組み込まれる。
【０００９】
さらに上記本発明では上記リジッド基板の寸法を大きくしてもそのリジッド基板上の固体撮像素子の半田部に応力が加えられることのない様に、上記収容部の、上記リジッド基板側壁面とそのリジッド基板とに挟まれたところにスペーサが挿入される。
【００１０】
そうすると、この撮影装置が振られ上記リジッド基板が振れたとしてもリジッド基板上の固体撮像素子の半田付け部付近の基板の振れが上記スペーサにより規制されて半田付け部に加えられる応力の大きさが軽減される。
【００１１】
ここで上記スペーサにシリコン樹脂系の熱伝導率の良い部材などを用いると、上記固体撮像素子から放出された熱がそのスペーサを介して外部へと放熱されるという効果も得られる。
【００１２】
以上説明した様に、いままでよりも大きなリジッド基板がフローティングの状態で撮影装置の内部に組み込まれたとしてもリジッド基板上の固体撮像素子の半田付け部に加えられる応力が軽減される組込構造を有する撮影装置が実現する。
【００１３】
上記目的を達成する本発明の第２の撮影装置は、被写体像が結像され被写体像を表わす画像信号を生成する固体撮像素子と、
上記固体撮像素子を搭載したリジッド基板と、
上記固体撮像素子が入り込み、内壁面へのその固体撮像素子の当接を受けてその固体撮像素子を位置決めする収容部と、
上記収容部が、上記リジッド基板側壁面からそのリジッド基板に向かって突出したリブを有することを特徴とする。
【００１４】
上記本発明の第２の撮影装置の様に、上記本発明の第１の撮影装置が備えるスペーサの代わりに上記収容部に突出したリブを設けてもリジッド基板上の半田付け部付近の振れ幅がそのリブにより規制されて第１の撮影装置と同様の効果が得られる。
【発明の効果】
【００１５】
以上説明した様にいままでよりも大きなリジッド基板がフローティングの状態で撮影装置内に組み込まれたとしてもリジッド基板上の固体撮像素子の半田付け部に加えられる応力が軽減される組込構造を有する撮影装置が実現する。
【発明を実施するための最良の形態】
【００１６】
以下、本発明の実施の形態について説明する。
【００１７】
図１は、本発明の一実施形態である撮影装置を示す図である。
【００１８】
図１（ａ）には、撮像ユニット１０と撮像機器本体１１とからなる撮影装置１の外観が示されており、図１（ｂ）には撮像ユニット１０内部の構成が示されている。
【００１９】
図１（ｂ）に示す様に、撮像ユニット１０には、被写体像が結像され被写体像を表わす画像信号を生成する固体撮像素子１０４と、固体撮像素子１０４を搭載したリジッド基板１０５と、固体撮像素子１０４が入り込み、内壁面へのその固体撮像素子１０４の当接を受けてその固体撮像素子１０４を位置決めする収容部１０２と、その収容部１０２の、リジッド基板側壁面とそのリジッド基板１０５とに挟まれたスペーサ１０３とが備えられている。
【００２０】
図１（ｂ）に示す様にスペーサ１０３には固体撮像素子１０４を囲む様に中央に矩形状の穴１０３ｈが設けられていてその穴１０３ｈが固体撮像素子１０４に嵌め込まれる様にして配設されることによりその固体撮像素子１０４の周縁部にスペーサ１０３が組み込まれる。
【００２１】
また撮像ユニット１０の撮像機器本体側には撮像ユニット蓋１０７が設けられていてその撮像ユニット蓋１０７が撮像機器本体１１の取付部１１１に取り付けられる様になっている。さらにその撮像ユニット蓋１０７には中央に凹みが設けられていてその凹み部にはりジッド基板１０５を図１の左側へ押し当てる押し当て部材１０６が設けられている。その押し当て部材１０６でリジッド基板１０５が図１の左側に押される。
【００２２】
さらに図１（ｂ）の左側に示されている撮像ユニット１０の鏡胴１０１側の後方端部には収容部１０２が設けられていて、その収容部１０２の、リジッド基板側壁面と上記押し当て部材１０６との間に上記リジッド基板１０５上の固体撮像素子１０４とリジッド基板１０５とが挟み込まれることによりフローティング状態のままリジッド基板１０５が撮像ユニット１０内部に組み込まれる。    
【００２３】
ここで、リジッド基板１０５上の固体撮像素子１０４が精度良く位置決めされた上、その位置決めされた固体撮像素子１０４が搭載されたリジッド基板１０５がどのようにしてフローティング状態で撮影装置の内部に組み込まれるかを、図２を参照して詳細に説明する。
【００２４】
図２は、固体撮像素子１０４が搭載されているリジッド基板１０５がフローティング状態で撮影装置の内部に組み込まれた状態を示す図である。
【００２５】
図２には、固体撮像素子１０４が入り込み、内壁面へのその固体撮像素子１０４の当接を受けてその固体撮像素子１０４を位置決めする収容部１０２が示されている。この図２には一方の内壁面（実際には２つの内壁面に当て付けられることになる）側に当て付けることができる様に当て付け部材１０２１が追加されている例が示されている。こうして固定撮像素子１０４が撮影光学系の光軸に合う様に位置決めされ、さらに収容部１０２のリジッド基板側の壁面と押し当て部材１０６とに挟み込まれることによってリジッド基板１０５が撮像ユニット１０内に組み込まれる。
【００２６】
このときにリジッド基板１０５が大きくなった関係上、撮影装置が振られたときにリジッド基板１０５の振れ幅が大きくなって半田付け部Ｐに応力が加えられることにより半田が外れてしまう恐れがあるので、収容部１０２の、リジッド基板側壁面とリジッド基板１０５との間に、その間の寸法よりも短いスペーサ１０３を挿入して、リジッド基板１０５が振れたときに半田付け部Ｐ付近にはその端部の振れの影響があまり大きく現われない様にしている。
【００２７】
つまり、リジッド基板１０５が図２中の矢印の方向に振れたときにリジッド基板１０５が斜めに振れることをある程度許容しておいてスペーサ１０３によりリジッド基板１０５上の半田付け部Ｐ付近の振れを規制することによって半田付け部Ｐに加えられる応力を軽減しようというのである。
【００２８】
そうすると撮影装置が振れることにより半田付け部Ｐにリジッド基板１０５の端部からのモーメント力が働いて半田付け部Ｐの内部に応力が発生して半田付けが外れるなどの不具合が発生する率が著しく低減される。
【００２９】
なお、本実施形態においてはスペーサとして熱伝導率の高いシリコン系の樹脂が用いられている。このため、そのスペーサの放熱により撮像素子が冷却されるという効果も得られる。
【００３０】
図３は、第２の実施形態を示す図である。
【００３１】
図３には、図２のスペーサ１０３の代わりに、リジッド基板側壁面からそのリジッド基板１０５に向かって突出したリブ１０３１，１０３２を設けた例が示されている。
【００３２】
図２のスペーサ１０３の代わりに、リジッド基板１０５には達しない程度の長さのリブ１０３１，１０３２を設けてもスペーサ１０３と同様にリジッド基板１０５の振れ幅を規制して半田付け部Ｐに加えられる応力の軽減を図ることもできる。
【００３３】
以上説明した様にいままでよりも大きなリジッド基板がフローティングの状態で撮影装置内に組み込まれたとしてもリジッド基板上の固体撮像素子の半田付け部に加えられる応力が軽減される組込構造を有する撮影装置が実現する。
【図面の簡単な説明】
【００３４】
【図１】本発明の一実施形態である撮影装置を示す図である。
【図２】固体撮像素子１０４が搭載されているリジッド基板１０５がフローティング状態でどのようにして撮影装置内部に組み込まれかを説明する図である。
【図３】第２の実施形態を示す図である。
【符号の説明】
【００３５】
１  撮影装置
１０    撮像ユニット
１０１  鏡胴
１０２    収容部
１０３    スペーサ
１０３１  １０３２    リブ
１０４    固体撮像素子
１０５    リジッド基板
１０６    押し当て部材
１０７    撮像ユニット蓋
１１    撮像機器本体
１１１    撮像ユニット取付部
【図１】
2007325149.tif 000003
【図２】
2007325149.tif 000004
【図３】
2007325149.tif 000005